(57)【要約】      （修正有）【課題】簡単な構造で、収容している円筒形状の容器を確実に保持して容器の向きを維持することができる包装用箱を提供する。【解決手段】一枚の透明な合成樹脂製のブランクシートから一体的に打ち抜かれた箱体形成片から成る。箱体形成片には、互いに平行に連接された側面１８，２０と、側面２０と糊付けされる糊付け片２２と、糊付け片２２の側縁部に形成されたストッパー片３２を備える。ストッパー片３２は、糊付け片２２と折罫線３４で区切られ、筒状に組み立てられた状態で、折罫線３４が略直角に折り曲げられる。ストッパー片３２は、筒状の中央に向かって突出し、収容される容器７２の、容器本体７４と蓋部７６との隙間７８に差し込まれる。ストッパー片２２の折罫線３４と反対側の側縁部には、容器本体７４と蓋部７６との隙間７８に嵌合する凹部３６を有する。【選択図】図１
0003157344.tif 000002
【実用新案登録請求の範囲】
【請求項１】
一枚のブランクシートから一体的に打ち抜かれた箱体形成片から成り、この箱体形成片には、互いに平行に連接された側面と、前記側面を接続する糊付け片と、前記糊付け片の前記側面の連接方向の側縁部に形成されたストッパー片が設けられ、前記ストッパー片は、前記糊付け片とは折罫線で区切られ前記側面が筒状に組み立てられた状態で前記折罫線が直角に折り曲げられて、筒状の中央に向かって突出し、筒状に組み立てられた前記側面に収容される容器の、容器本体と容器本体を閉鎖する蓋部との隙間に差し込まれる位置に設けられ、前記ストッパー片の前記折罫線と反対側の側縁部には前記容器本体と前記容器本体を閉鎖する前記蓋部との隙間に嵌合する凹部が形成されていることを特徴とする包装用箱。
【請求項２】
前記箱体形成片は、一枚の透明な合成樹脂製のブランクシートから一体的に打ち抜かれて形成されたものである請求項１記載の包装用箱。
【請求項３】
前記容器の前記隙間に位置する前記容器本体は円筒形状であり、前記ストッパー片の前記凹部は内側に凹となる円弧形状であり、前記容器本体の円筒側面に線接触する請求項１又は２記載の包装用箱。
【考案の詳細な説明】
【技術分野】
【０００１】
この考案は、商品を収容して保護する包装用箱に関する。
【背景技術】
【０００２】
従来、化粧品等が入れられている容器は、包装用箱に入れられて店頭の陳列棚等に並べられている。このような包装用箱は、収容されている容器がよく見えるように透明な合成樹脂で作られているものがある。しかし、包装用箱の中で容器が回転することがあり、容器の正面に記された商品名や絵柄が裏側に移動して見えなくなったり、上下が逆になったりすることがある。これを防ぐために、包装用箱内で商品の回転を防ぐ工夫が考えられている。
【０００３】
特許文献１に開示されている回り止め部材は、包装用箱の中に入れられたビンに取り付けられ、ブランクシートから打ち抜かれた回り止め部材形成片が設けられている。回り止め部材形成片は、帯状の本体を有し、本体の長手方向の両端部より少し内側には一対の切込線が互いに反対の側縁部に設けられている。この回り止め部材の使用方法は、本体を環状にして一対の切込線を互いに係止し、ビンの一部に、環状にした本体を嵌合し、本体の一対の端部は、ビンの側方へ突出して包装用箱の内側の角部に当接させる。これにより、ビンの回転を抑えることができる。
【先行技術文献】
【特許文献】
【０００４】
【特許文献１】特開２００３−２０５９３２号公報
【考案の概要】
【考案が解決しようとする課題】
【０００５】
上記背景技術の場合、回り止め部材はビンに巻き付けやすい帯状の本体が設けられているが、その他の形状の容器で、例えば直径が大きく高さの低い円筒形状の容器等には不向きであり、高さの低い円筒形状の容器からずれやすく嵌合させにくいものであった。また、回り止め部材は包装用箱と別体であり、部品点数が多かった。
【０００６】
この考案は、上記背景技術の問題点に鑑みてなされたものであり、簡単な構造で、収容している円筒形状の容器を確実に保持して容器の向きを維持することができる包装用箱を提供することを目的とする。
【課題を解決するための手段】
【０００７】
本考案は、一枚のブランクシートから一体的に打ち抜かれた箱体形成片から成り、この箱体形成片には、互いに平行に連接された側面と、前記側面を接続する糊付け片と、前記糊付け片の前記側面の連接方向の側縁部に形成されたストッパー片が設けられ、前記ストッパー片は、前記糊付け片とは折罫線で区切られ前記側面が筒状に組み立てられた状態で前記折罫線が直角に折り曲げられて、筒状の中央に向かって突出し、筒状に組み立てられた前記側面に収容される容器の、容器本体と容器本体を閉鎖する蓋部との隙間に差し込まれる位置に設けられ、前記ストッパー片の前記折罫線と反対側の側縁部には、前記容器本体と前記容器本体を閉鎖する前記蓋部との隙間に嵌合する凹部が形成されている包装用箱である。
【０００８】
前記箱体形成片は、一枚の透明な合成樹脂製のブランクシートから一体的に打ち抜かれて形成されたものである。
【０００９】
また、前記容器の前記隙間に位置する前記容器本体は円筒形状であり、前記ストッパー片の前記凹部は内側に凹となる円弧形状であり、前記容器本体の円筒側面に線接触するものである。
【考案の効果】
【００１０】
本考案の包装用箱は、箱体形成片と一体にストッパー片が設けられた簡単な構造であり、収容している円筒形状の容器をストッパー片が確実に保持して移動を防ぐことができる。また、包装用箱が透明な合成樹脂で作られている場合には、陳列した状態で、収容した容器に印刷された文字や絵柄の上下が一定の方向に設定可能であり、見やすく外観が良好となるものである。
【図面の簡単な説明】
【００１１】
【図１】この考案の一実施形態の包装用箱の斜視図である。
【図２】この実施形態の包装用箱の容器を入れる状態を示す斜視図である
【図３】この実施形態の包装用箱の展開図である。
【図４】この実施形態の包装用箱の縦断面図である。
【考案を実施するための形態】
【００１２】
以下、この考案の実施形態について図面に基づいて説明する。図１〜図４はこの考案の一実施形態を示すもので、この実施形態の包装用箱１０は、透明な合成樹脂製の一枚のブランクシートを打ち抜いて形成された箱体形成片１２を組み立てて設けられている。
【００１３】
図３は箱体形成片１２を表面から見た展開図であり、箱体形成片１２は、側面１４，１６，１８，２０が、互いに平行に連接して形成されている。側面１４，１６，１８，２０は、連接している幅方向は同じ長さであり、連接方向の長さは側面１４，１８が長くて互いにほぼ等しく、側面１６，２０は短くて互いにほぼ等しい。さらに、側面１４の側縁部には、包装用箱１０の組立状態で側面２０の裏面に糊付けされる糊付片２２が設けられている。糊付片２２、側面１４，１６，１８，２０は、各々折罫線２４，２６，２８，３０で区切られている。
【００１４】
糊付片２２の折罫線２４と反対側の側縁部には、ストッパー片３２が折罫線３４で区切られて設けられている。ストッパー片３２の連接している幅方向は、糊付片２２の約半分であり一方の端部３２ａは、糊付片２２の連接方向に交差する一方の端部２２ａに連続し、他方の端部３２ｂは糊付片２２の中間付近に位置している。ストッパー片３２の、折罫線３４と反対側の側縁部３２ｃは、折罫線３４に対して平行な直線で形成されている。側縁部３２ｃの、端部３２ｂに近い部分は、内側に凹となる円弧形状の凹部３６が形成されている。凹部３６の円弧は、後述する容器本体７４の円筒側面に線接触する曲率に形成されている。
【００１５】
側面１４において、側面どうしの連接方向に対して直角な方向の一端部には、蓋片３８が折罫線４０で区切られて設けられている。蓋片３８の折罫線４０の反対側の端部には、さらに差込片４２が折罫線４４で区切られて設けられている。折罫線４４の両端部には、差込片４２が後述するフラップ４６，６６と係止しやすいように短い切込線が設けられている。
【００１６】
側面１６の、側面１４の折罫線４０に隣接する端部には、台形状のフラップ４６が折罫線４８で区切られて設けられている。側面１６の、折罫線４８と反対側の端部には、台形状のフラップ５０が折罫線５２で区切られて設けられている。
【００１７】
側面１８の、側面１６の折罫線５２に隣接する端部には、蓋片５４が折罫線５６で区切られて設けられている。蓋片５４の折罫線５６の反対側の端部には、さらに差込片５８が折罫線６０で区切られて設けられている。折罫線６０の両端部には、差込片５８がフラップ５０と後述するフラップ６２に係止しやすいように短い切込線が設けられている。
【００１８】
側面２０の、側面１８の折罫線５６に隣接する端部には、台形状のフラップ６２が折罫線６４で区切られて設けられている。側面２０の、折罫線６４と反対側の端部には、台形状のフラップ６６が折罫線６８で区切られて設けられている。
【００１９】
次に、この実施形態の包装用箱１０の組立方法の一例について説明する。なお、ここでは図３が包装用箱１０の箱体形成片１２の表面を見たものであり、箱体形成片１２の表面が凸になる折り方を正折り、そして裏面が凸になる折り方を逆折りと称する。
【００２０】
まず、折罫線２６を正折りして糊付片２２の表面に糊７０を塗布する。次に折罫線３０を正折りし、側面２０の裏面が糊７０により糊付片２２の表面に糊付けされる。箱体形成片１２はこの折り畳まれた状態で商品を収容し包装する工場等に出荷される。
【００２１】
ここで、包装用箱１０に収容される商品について説明する。商品は、例えばクリームやパウダー状の化粧品であり、扁平な円筒形状の容器７２に詰められている。容器７２は、内容物を入れる有底筒状の容器本体７４と、容器本体７４の開口部を閉鎖する蓋部材７６が設けられている。容器本体７４の開口部には容器本体７４の側周面よりも径が小さい取付筒部７４ａが設けられ、取付筒部７４ａの外側面には図示しない雄ネジが形成されている。蓋部材７６の内周面には雌ネジが形成され、取付筒部７４ａの雄ネジに螺合されて開閉可能に取り付けられている。取付筒部７４ａは、蓋部材７６の深さよりも長く形成されている。このため、容器本体７４に蓋部材７６を取り付けたとき、隙間７８が生じて取付筒部７４ａの基端部分が一定幅で露出している。
【００２２】
容器７２を収容し包装する工場等において、折罫線２４，２６，２８，３０を各々９０°に正折りして四角形の筒状にする。ストッパー片３２は、折罫線３４で正折りして図４に示すように筒状の内側に向かって突出させる。次に折罫線４８，６８でフラップ４６，６６を９０°に正折りし、その後折罫線４０で蓋片３８を９０°に正折りし、差込片４２を折罫線４４で正折りし、差込片４２を側面１８の裏面側に差し込んで係止し、一方の端面が形成される。
【００２３】
次に、容器７２を、図２に示すように開かれた状態の蓋片５４の方からスライドさせて入れる。このとき、容器７２の向きを一定の方向に設定する。糊付片２２の、折罫線２４から折罫線３４までの長さは、容器７２の容器本体７４の底部から隙間７８に一致する長さに設けられ、ストッパー片３２が隙間７８にほぼ直角に差し込まれ、ストッパー片３２の凹部３６が、隙間７８に差し込まれて取付筒部７４ａに当接する。次に、折罫線５２，６４でフラップ５０，６２を９０°に正折りし、その後折罫線５６で蓋片５４を９０°に正折りし、差込片５８を折罫線６０で正折りし、差込片５８を側面１４の裏面側に差し込んで係止し、他方の端面が形成される。なお、箱体形成片１２を組み立てる順番はこれ以外でもよく、適宜変更可能である。
【００２４】
本考案の包装用箱１０によれば、箱体形成片１２と一体にストッパー片３２が設けられた簡単な構造であり、収容している扁平な円筒形状の容器７２を確実に保持して回転を防ぐことができる。ストッパー片３２が容器７２の隙間７８に差し込まれて、隙間７８に交差する方向のガタツキを抑え、さらにストッパー片３２の凹部３６が容器７２の容器本体７４の取付筒部７４ａに当接して摩擦力により容器７２の円周方向の回転を抑えることができる。包装用箱１０は透明な合成樹脂で作られて陳列した時に収容した容器７２が視認され、このとき容器７２に印刷された文字や絵柄は上下の方向が維持されて見やすく、外観が良好となる。複数個の包装用箱１０を陳列するときにも統一感があり、整然とした印象になる。ストッパー片３２は、一方の蓋片３８に近い位置に設けられているため、他方の蓋片５４を開けて容器７２を簡単に入れて収容することができ、容易に取り出すこともできる。箱体形成片１２と一体にストッパー片３２が設けられているため、部品点数が増えることがなく、部品管理や組み立てが簡単である。
【００２５】
なお、この考案は上記実施形態に限定されるものではなく、各部材の材質や形状等、適宜変更可能である。ストッパー片や凹部の形状や大きさは、収容する商品に合わせて適宜変更するものである。包装用箱を陳列する方向は、縦置きでも横置きでもよい。箱体の形状は、収容する商品に合わせて適宜変更可能であり、吊下片を設けて吊り下げて陳列するものや、スタンドを設けて自立可能なもの等、自由に変更可能である。
【符号の説明】
【００２６】
１０  包装用箱
１２  箱体形成片
１４，１６，１８，２０  側面
２２  糊付片
３２  ストッパー片
３６  凹部
７２  容器
７４  容器本体
７６  蓋部材
７８  隙間
【図１】
0003157344.tif 000003
【図２】
0003157344.tif 000004
【図３】
0003157344.tif 000005
【図４】
0003157344.tif 000006